(57)【要約】【課題】無線電力受信ユニットを形成する技術を提供する。【解決手段】無線電力受信ユニットを形成する技術がここで説明される。当該技術は、第１の送信コイルに対する誘導結合によって充電されるべき装置の第１の受信コイルを形成する段階を含み得る。当該技術は、第２の送信コイルに対する誘導結合によって充電されるべき装置の第２の受信コイルを形成する段階を含み得る。第２の受信コイルは、第１の受信コイルの平面に対してある角度をなして配置されるとともに、第１の受信コイル及び第２の受信コイルは、受信回路に対して並列に接続されるように形成される。【選択図】図２Ａ
2015198570.tif 000002
【特許請求の範囲】
【請求項１】
無線電力受信手段を形成する方法であって、
第１の送信コイルに対する誘導結合によって充電されるべき装置の第１の受信コイルを形成する段階と、
第２の送信コイルに対する誘導結合によって充電されるべき装置の第２の受信コイルを形成する段階とを含み、
前記第２の受信コイルが、前記第１の受信コイルの平面に対してある角度をなして配置され、
前記第１の受信コイル及び前記第２の受信コイルが、受信回路に対して並列に結合する、方法。
【請求項２】
前記第２の受信コイルが、前記第１の受信コイルの前記平面に対して垂直な角度をなして配置される、請求項１に記載の方法。
【請求項３】
前記第２の受信コイルを形成する段階が、フレキシブル手段の上に受信コイルを形成する段階を含む、請求項１若しくは請求項２のいずれか一項又はこれらの請求項の組み合わせに記載の方法。
【請求項４】
前記第２の受信コイルを形成する段階が、前記第２の受信コイルの外形が曲げられているように前記第２の受信コイルを形成する段階を含む、請求項１から請求項３のいずれか一項又はこれらの請求項のいずれかの組み合わせに記載の方法。
【請求項５】
前記第２の受信コイルを形成する段階が、前記第２の受信コイルの外形がまっすぐではないように前記第２の受信コイルを形成する段階を含む、請求項１から請求項４のいずれか一項又はこれらの請求項のいずれかの組み合わせに記載の方法。
【請求項６】
前記第１の受信コイル及び前記第２の受信コイルが、等価抵抗が低減されるように並列に接続される、請求項１から請求項５のいずれか一項又はこれらの請求項のいずれかの組み合わせに記載の方法。
【請求項７】
前記第１の受信コイル及び前記第２の受信コイルが、前記装置において前記第１の受信コイル、前記第２の受信コイル、又は前記第１及び前記第２の受信コイルのあらゆる組み合わせで充電が受けられ得るように形成される、請求項１から請求項６のいずれか一項又はこれらの請求項のいずれかの組み合わせに記載の方法。
【請求項８】
無線電力受信手段であって、
第１の送信コイルに対する誘導結合によって充電されるべき装置の第１の受信コイルと、
第２の送信コイルに対する誘導結合によって充電されるべき装置の第２の受信コイルとを備え、
前記第２の受信コイルが、前記第１の受信コイルの平面に対してある角度をなして配置され、
前記第１の受信コイル及び前記第２の受信コイルが、受信回路に対して並列に接続する、無線電力受信手段。
【請求項９】
前記第２の受信コイルが、前記第１の受信コイルの前記平面に対して垂直な角度をなして配置される、請求項８に記載の無線電力受信手段。
【請求項１０】
前記第２の受信コイルがフレキシブル手段の上に配置される、請求項８若しくは請求項９のいずれか一項又はこれらの請求項の組み合わせに記載の無線電力受信手段。
【請求項１１】
前記第２の受信コイルの外形が曲げられている、請求項８から請求項１０のいずれか一項又はこれらの請求項のいずれかの組み合わせに記載の無線電力受信手段。
【請求項１２】
前記第２の受信コイルの外形がまっすぐではない、請求項８から請求項１１のいずれか一項又はこれらの請求項のいずれかの組み合わせに記載の無線電力受信手段。
【請求項１３】
前記第１の受信コイル及び前記第２の受信コイルが、等価抵抗が低減されるように並列に接続される、請求項８から請求項１２のいずれか一項又はこれらの請求項のいずれかの組み合わせに記載の無線電力受信手段。
【請求項１４】
前記第１の受信コイル及び前記第２の受信コイルが、前記装置において前記第１の受信コイル、前記第２の受信コイル、又は前記第１及び前記第２の受信コイルのあらゆる組み合わせで充電が受けられ得るように配置される、請求項８から請求項１３のいずれか一項又はこれらの請求項のいずれかの組み合わせに記載の無線電力受信手段。
【請求項１５】
充電を受けるための装置であって、
第１の送信手段に対する誘導結合によって充電されるべき装置の第１の受信手段と、
第２の送信手段に対する誘導結合によって充電されるべき装置の第２の受信手段であって、前記第１の受信手段の平面に対してある角度をなして配置される前記第２の受信手段と、
前記第１の受信手段及び前記第２の受信手段に対して並列に接続される受信回路とを備える、装置。
【請求項１６】
前記第２の受信手段が、前記第１の受信手段に対して垂直な角度をなして配置される、請求項１５に記載の装置。
【請求項１７】
前記第１の受信手段が、当該装置の底面に、前記第１の受信手段の前記平面が当該装置の前記底面と平行であるように配置されるとともに、前記第２の受信手段が、前記底面に垂直な当該装置の側面に配置される、請求項１５若しくは請求項１６のいずれか一項又はこれらの請求項の組み合わせに記載の装置。
【請求項１８】
前記第２の受信手段が、前記第２の受信手段の外形がまっすぐではないようにフレキシブルプリント回路基板上に配置される、請求項１５から請求項１７のいずれか一項又はこれらの請求項のいずれかの組み合わせに記載の装置。
【請求項１９】
前記第１の受信手段及び前記第２の受信手段が、等価抵抗が低減されるように並列に接続される、請求項１５から請求項１８のいずれか一項又はこれらの請求項のいずれかの組み合わせに記載の装置。
【請求項２０】
前記第１の受信手段及び前記第２の受信手段が、当該装置において前記第１の受信手段、前記第２の受信手段、又は前記第１及び前記第２の受信手段のあらゆる組み合わせで充電が受けられ得るように配置される、請求項１５から請求項１９のいずれか一項又はこれらの請求項のいずれかの組み合わせに記載の装置。
【発明の詳細な説明】
【技術分野】
【０００１】
本開示は、一般に、無線充電のための技術に関する。具体的には、この開示は、第１及び第２の受信コイルを有する無線電力受信ユニットに関する。
【背景技術】
【０００２】
磁界共鳴方式無線充電（Magnetic  resonance  wireless  charging）は、送信（Ｔｘ）コイルと受信（Ｒｘ）コイルとの間の磁気結合を利用する。Ｔｘコイルのような導体を電流が流れる場合に、磁場が生成される。Ｒｘコイルのような第２の導体が磁場の近傍中に配置される場合に、第２の導体の中で電流が生成されて流れる。
【図面の簡単な説明】
【０００３】
【図１】送信コイルによって充電されるべき装置を例示する図である。
【図２Ａ】充電されるべき装置において使用され得る無線電力受信ユニットの一例の説明図である。
【図２Ｂ】磁気伝導層（magnetically  conductive  layer）を有する無線電力受信ユニットの一例の説明図である。
【図３Ａ】充電されるべき装置において使用され得る無線電力受信ユニットの別の例の説明図である。
【図３Ｂ】充電されるべき装置において使用され得る無線電力受信ユニットの側面図である。
【図３Ｃ】充電されるべき装置において使用され得る無線電力受信ユニットの側面図である。
【図４】第２の受信コイルに結合する送信コイルを例示する図である。
【図５】第１及び第２の受信コイルで充電を受けるための無線電力受信ユニットを有する装置を例示する図である。
【図６】第１及び第２の受信コイルを有する電力受信ユニットを形成するための方法を例示するブロック図である。
【発明を実施するための形態】
【０００４】
同じ構成要素及び機構を参照するために、本開示及び図面を通して、同じ参照符号が使用される。１００番台における数字は、図１において最初に見出される特徴を参照し、２００番台における数字は、図２において最初に見出される特徴を参照する、などのようである。
【０００５】
本開示は、一般に、複数の受信コイルを有する無線電力受信ユニットを提供するための技術に関する。第１の受信コイル及び第２の受信コイルは、受信回路に対して、一緒によりむしろ並列に結合され得る。第２の受信コイルは、第１の受信コイルに対してある角度をなして配置され得る。ここで説明される態様において、第１及び第２の受信コイルは、複数の無線電力送信ユニットから充電を受けるように構成され得る。
【０００６】
例えば、スマートフォン（smartphone）のような装置は、当該携帯電話の底部に配置された第１の受信コイルを有する。受信回路構成において第１の受信コイルに対して並列に接続される第２の受信コイルは、携帯電話の側部に配置され得る。下記で更に詳細に論じられるように、第１の受信コイルは、無線充電パッドのような無線充電送信ユニットを有する装置上に置かれた場合に、鉛直方向において磁気的に結合され得る。いくつかの態様において、第２の受信コイルは、携帯電話のような携帯機器の側面において第２の受信コイルと結合するように構成される無線電力送信コイルを有するラップトップコンピュータのような装置から水平方向において磁気的に結合され得る。ここで説明される技術では、鉛直方向における磁気結合だけでなく水平方向における磁気結合も、第１及び第２の無線充電受信コイルを含む装置に代替的な充電オプションを提供し得る。
【０００７】
図１は、送信コイルによって充電されるべき装置を例示する図である。矢印１０８によって示されたように、装置１０２は、送信コイル１０６を有する充電装置１０４から充電を受けるように構成され得る。装置１０２は、矢印１１０によって示された装置１０２の底面に接近して配置された受信コイル（図示せず）を有し得る。装置１０２は、矢印１１２によって示された装置１０２の側面に配置された受信コイル（図示せず）を更に含み得る。
【０００８】
装置１０２は、無線で充電されるための複数の受信コイルを有する、例えばデスクトップコンピュータ、ラップトップコンピュータ、タブレット型コンピューティング装置、スマートフォンのようなセルラ電話／携帯電話などのあらゆるコンピューティング装置を含むコンピューティング装置であり得る。充電装置１０４は、無線充電パッドであり得る。下記で更に詳細に論じられるように、装置１０２における複数の受信コイルは、装置１０２に隣接して置かれるとともに、側面に配置された無線送信コイルを有するラップトップのような他の充電装置からだけでなく、充電装置１０４からも装置が充電を受けることを可能にし得る。
【０００９】
図２Ａは、充電されるべき装置において使用され得る無線電力受信ユニットの一例の説明図である。無線電力受信ユニット２００は、第１の受信コイル２０２と、第２の受信コイル２０４とを含む。第１の受信コイル２０２及び第２の受信コイル２０４は、符号２０６で示されたように結合され得る。両方の受信コイル２０２及び受信コイル２０４は、受信回路２０８と接続されている。
【００１０】
図２Ａで例示されたように、第２の受信コイル２０４は、第１の受信コイル２０２の平面に対してある角度をなして配置され得る。いくつかの態様において、角度は９０度の垂直の角度であり得る。図３を参照して下記で更に詳細に論じられるように、角度は、垂直である必要はないが、ただし他の角度を含み得る。
【００１１】
いくつかの態様において、第１の受信コイル２０２と第２の受信コイル２０４との並列接続２０６は、無線電力受信ユニット２００の抵抗を減少させ得る。いくつかの態様において、並列接続２０６は、第１の受信コイル２０２及び第２の受信コイル２０４が単一の同調回路２１０と結合されることを可能にする。具体的には、並列接続２０６は、第１の受信コイル２０２及び第２の受信コイル２０４の各々のための独立した回路よりむしろ、単一の同調回路２１０が使用され得るように、受信回路２０８に、そして同調回路２１０の同調キャパシタ（図示せず）に、単一の実効インダクタンスを提示する。
【００１２】
図２Ａで例示されたように、第１の受信コイル２０２及び第２の受信コイル２０４は、巻き線を有している。実施形態において、第２の受信コイルの巻数は、下記の式１で示された比率に基づき得る。
【００１３】
【数１】
2015198570.tif 000003
【００１４】
式１において、ＡＲｘ２及びＡＲｘ１は、それぞれ、第２の受信コイル２０４及び第１の受信コイル２０２と関連付けられた面積である。変数ＮＲｘ２及びＮＲｘ１は、それぞれ、第２の受信コイル２０４及び第１の受信コイル２０２のコイル巻数である。一般に、磁束結合の最大化は、ある程度、第２の受信コイル２０４のようなコイルの開口部２１１の最大化によって決まる。いくつかの態様において、第２の受信コイル２０４における巻数は、式１の比率によって決定されることができ、最大量の巻数が開口部２１１を最大にすると同時にコイルインダクタンスを増大させることを可能にする。第１の受信コイル２０２の面積が第２の受信コイル２０４の面積より大きいと仮定すると、第２の受信コイル２０４は、第１の受信コイル２０２より少ない巻数を有しているかもしれない。
【００１５】
いくつかの態様において、巻数の比率を決定するために面積を使用する代りに、線形の指標が適用されることができ、例えば一方向におけるコイルの寸法、特に、第２の受信コイル２０４のような垂直コイル（vertical  coil：縦型コイル）の縦寸法、及びそれに相当するものとして、第１の受信コイル２０２のような水平コイル（horizontal  coil：横型コイル）の横寸法を使用する。共通の寸法が同じであると仮定すると、面積関係は、これらの言及された関係によって決定される。これは、それぞれのコイルの直径と呼ばれ得る。しかしながら、直径は、他の線形の寸法、例えばコイルを横断する又はある角度をなす対角線によって同様に測定され得る。
【００１６】
図２Ｂは、磁気伝導層（magnetically  conductive  layer）を有する無線電力受信ユニットの一例の説明図である。磁気伝導層２１２は、磁束（magnetic  flux）又は磁力線（magnetic  field  line）を導く層であり得る。磁気伝導層２１２は、第１の受信コイル２０２及び第２の受信コイル２０４のような受信コイルの誘導結合を強め得る。図３Ａ及び図３Ｂを参照して下記で論じられる受信コイルのような他の例の受信コイル構成は、誘導結合を強めるために磁気伝導層を同様に使用し得る。いくつかのシナリオにおいて、磁気伝導層２１２は、第１の受信コイル２０２又は第２の受信コイル２０４のいずれかにおいて与えられた磁場に部分的に結合するためのフェライト材料から構成され得る。
【００１７】
いくつかのシナリオにおいて、第１の受信コイル２０２及び第２の受信コイル２０４は、お互いから距離２１４で配置され得る。例えば、距離２１４は、垂直コイルの高さの１０パーセントであり得る。距離２１４は、２つのコイル２０２、２０４の間に、磁気伝導層２１２を収めるための空間を提供し得る。
【００１８】
図３Ａは、充電されるべき装置において使用され得る無線電力受信ユニットの別の例の説明図である。図２の無線電力受信ユニット２００と同様に、無線電力受信ユニット３００は、符号３０６で示されたように接続されている第１の受信コイル３０２と第２の受信コイル３０４とを含む。両方の受信コイル３０２及び受信コイル３０４は、受信回路３０８と接続されている。いくつかの態様において、第１の受信コイル２０２と第２の受信コイル２０４との並列接続３０６は、無線電力受信ユニットの抵抗を減少させ得る。上記で論じられたように、並列接続３０６は、単一の同調回路３１０が第１の受信コイル３０２及び第２の受信コイル３０４の両方によって使用されることを可能にし得る。
【００１９】
態様において、第２の受信コイル３０４はまっすぐではない。図３において例示されたように、第２の受信コイル３０４は曲げられている。この態様において、第２の受信コイル３０４は、第２の受信コイル３０４の外形（profile）が曲げられているか又は少なくともまっすぐではないように、フレキシブルプリント回路基板（flexible  printed  circuit  board）上に形成され得る。この態様において、第２の受信コイル３０４は、例えば、曲げられた側面を有するスマートフォンのデザインに適合し得る。第２の受信コイル３０４の代替形状が、本開示によって意図される。
【００２０】
図３Ｂは、充電されるべき装置において使用され得る無線電力受信ユニットの側面図である。図３Ｂにおいて例示されたように、第２の受信コイル３０４の外形は曲げられている。その曲率は、点線の円３１２及び３１４によって示された、曲げられた外形の様々な異なる点に対して接線方向である線の傾きの間の差異によって定義され得る。第２の受信コイル３０４は、第１の受信コイルに対してある角度３１６をなして配置され得る。いくつかの態様において、角度３１６は、０度を超える角度から４５度以下の角度まで変動する。
【００２１】
図３Ｃは、充電されるべき装置において使用され得る無線電力受信ユニットの側面図である。いくつかの態様において、第２の受信コイル３０４の曲率は、辺縁曲率（edge  curvature）ＥＣとして定義され得る。ＥＣは、下記の式２によって示されるように、無線電力受信ユニットの寸法、及び／又は無線電力受信ユニットを収容し得るスマートフォンのような装置の寸法の関係によって決まり得る。
【００２２】
ＥＣ＝Ｒ（１−ｃｏｓθ）          式２
【００２３】
式２において、ＥＣは、図３Ｃにおける符号３２０で示されるように、“１”から角度３１８のコサインを引いて、半径（Ｒ）を掛けたものに等しい。いくつかのシナリオにおいて、ＥＣがより大きいほど、磁束は第２の受信コイル３０４とより結合されることができない。いくつかの態様において、磁場の少なくとも５０％に結合するように、角度３１８は下記の式３において示されるような範囲を有し得る。
【００２４】
０＜θ＜π／４          式３
【００２５】
図４は、第２の受信コイルに結合する送信コイルを例示する図である。図４において例示された無線電力受信ユニットは、図２に関して上記で論じられた無線電力受信ユニット２００であり得る。しかしながら、代替の態様において、図３に関して上記で論じられた無線電力受信ユニット３００が同様に使用され得る。どちらの態様においても、垂直に配置された送信コイル４０２は、矢印４０４によって示されたように第２の受信コイル２０４に結合し得る。この態様において、そして下記で更に詳細に論じられるように、送信コイル４０２と第２の受信コイル２０４のような垂直に配置された送信と受信のペアは、単独で使用され得るか、又は、例えば第１の受信コイル２０２と図１を参照して上記で論じられた充電装置１０４のような充電パッドなどの、水平の送信コイルと受信コイルに加えて使用され得る。
【００２６】
図５は、第１及び第２の受信コイルで充電を受けるための無線電力受信ユニットを有する装置を例示する図である。図解５００は、図１を参照して上記で論じられた装置１０２のような充電されるべき装置の第２の受信コイル２０４と結合するように構成された送信コイル５０４を有するコンピューティング装置５０２を含む。矢印５０６によって示されたように、送信コイル５０４によって生成される磁場は、受信コイル２０４と結合される。その代りに、又はさらに、図１を参照して上記で論じられたように、送信コイル１０６によって生成される磁場は、矢印５０８によって示されたように、受信コイル２０２と結合される。ここで説明された態様は、装置を充電する際の少なくとも２つの表面オプション（surface  option）をユーザに使用可能にする。例えば、図１において装置１０２は充電パッドから充電され、一方、図５において装置は充電されるべき装置１０２に隣接するコンピューティング装置５０２から充電される。
【００２７】
図６は、第１及び第２の受信コイルを有する電力受信ユニットを形成するための方法を例示するブロック図である。ブロック６０２において、第１の受信コイルが形成され得る。第１の受信コイルは、第１の送信コイルに対する誘導結合によって充電されるべき装置に配置され得る。ブロック６０４において、第２の受信コイルが形成される。第２の受信コイルは、第２の送信コイルに対する誘導結合によって充電され得る。態様において、第１及び第２の送信コイルは、異なる装置に配置される。いくつかの態様において、第１及び第２の送信コイルは、統合された装置に配置される。どちらの態様においても、第２の受信コイルは、第１の受信コイルの平面に対してある角度をなして配置されるとともに、第１及び第２の受信コイルは、無線電力受信ユニットの全体の抵抗が低減されるように、受信回路に対して並列に接続されるように形成される。
【００２８】
例えば、第２の受信コイルは、第１の受信コイルの平面に対して垂直に形成され得る。別の例において、第２の受信コイルは、第２の受信コイルと第１の受信コイルの平面との間の角度が複数の角度を含むように、曲げられた外形を有して形成され得る。複数の巻き線及び湾曲部を備える受信コイル、又はそうでなければ、まっすぐではない外形を有する受信コイルのような、第２の受信コイルの他の形状が意図される。いくつかの態様において、第２の受信コイルは、第２の受信コイルの外形が曲げられているか又はそうでなければまっすぐではないことを可能にするフレキシブルプリント回路基板上に形成され得る。
【００２９】
上記で論じられた無線電力受信ユニットを形成する方法は、第１及び第２の受信コイルで受けられる無線充電のあらゆる組み合わせを可能にし得る。例えば、第１及び第２の受信コイルの構成は、ラップトップにおける送信コイルの隣に並べられた場合に、第２の受信コイルで充電が受けられ得るようなものであり得る。別の例として、第１及び第２の受信コイルは、それぞれ、ラップトップからの充電だけでなく、充電パッドからの充電も受けることができる。
【実施例１】
【００３０】
充電を受けるための装置がここで説明される。装置は、受信コイルのような第１の受信手段を含み得る。第１の受信手段は、第１の送信手段に対する誘導結合によって充電されるように構成される。第１の送信手段は、充電パッドのような別の装置の送信コイルであり得る。装置は、第２の送信手段に対する誘導結合によって充電されるべき第２の受信手段を含み得る。例えば、第２の受信手段は、装置の受信コイルであり得るとともに、第２の送信手段は、コンピュータ又はラップトップのようなさらにもう一つの装置の送信コイルであり得る。第２の受信手段は、第１の受信手段の平面に対してある角度をなして配置され得る。装置の受信回路は、第１の受信手段及び第２の受信手段に対して並列に接続され得る。
【実施例２】
【００３１】
第１の受信コイル及び第２の受信コイルを含む無線電力受信手段がここで開示される。第１の受信コイルは、第１の送信コイルに対する誘導結合によって充電されることができ、一方、第２の受信コイルは、第２の送信コイルに誘導的に結合され得る。第１及び第２の送信コイルは、別個の装置のコイルであり得る。態様において、第２の受信コイルは、第１の受信コイルに対してある角度をなして配置される。このシナリオでは、無線電力受信手段は、無線電力受信手段を有する装置に隣接して配置されるラップトップコンピュータの充電コイルにだけでなく、充電パッドの送信コイルにも結合され得る。
【実施例３】
【００３２】
第１の受信コイル及び第２の受信コイルを形成する段階を含む無線電力受信手段を形成する方法がここで開示される。第１の受信コイルは、第１の送信コイルに対する誘導結合によって充電されることができ、一方、第２の受信コイルは、第２の送信コイルに誘導的に結合され得る。第１及び第２の送信コイルは、別個の装置のコイルであり得る。態様において、第２の受信コイルは、第１の受信コイルに対してある角度をなして配置される。このシナリオでは、無線電力受信手段は、無線電力受信手段を有する装置に隣接して配置されるラップトップコンピュータの充電コイルにだけでなく、充電パッドの送信コイルにも結合され得る。
【００３３】
態様は、実装例又は実施例である。「態様」、「一態様」、「いくつかの態様」、「様々な態様」又は「他の態様」に対する明細書における参照は、態様に関連して説明された特定の特徴、構造又は特性が、本技術の少なくともいくつかの態様に含まれているが、しかし必ずしも全ての態様に含まれているとは限らないことを意味する。「態様」、「一態様」又は「いくつかの態様」の様々な出現は、必ずしも全て同じ態様を参照しているとは限らない。
【００３４】
本明細書に記載された及び例示された構成要素、特徴、構造、特性等の全てが、ある特定の態様又は複数の態様に含まれている必要はない。明細書で、ある構成要素、特徴、構造、又は特性を、例えば、「含まれ得る（ｍａｙ）」、「含まれる場合がある（ｍｉｇｈｔ）」、「含まれることができる（ｃａｎ）」、又は「含まれることもあり得る（ｃｏｕｌｄ）」と記載されている場合には、その特定の構成要素、特徴、構造、又は特性は、必ずしも含まれている必要がない。明細書又は特許請求の範囲が単数の要素に言及する場合、それはその要素が一つだけあることを意味していない。明細書又は特許請求の範囲が「さらなる」要素に言及する場合、それはそのさらなる要素が二つ以上あることを排除しない。
【００３５】
いくつかの態様が特定の実装例を参照して説明されたが、いくつかの態様に従って他の実装例が可能であることに留意するべきである。さらに、図において例示され及び／又はここで説明された回路素子あるいは他の特徴の配置及び／又は順序は、必ずしも例示されそして説明された方法で配置される必要はない。多くの他の配置がいくつかの態様に従って可能である。
【００３６】
図面に表された各システムにおいて、いくつかの場合の要素は、表された要素が異なっている及び／又は類似していることもあり得るということを意味するために、同じ参照符号又は異なる参照符号を、それぞれ有し得る。しかしながら、要素は、異なる実装例を有するのに十分に柔軟であり得るとともに、ここで表され又は説明されたシステムのいくらか、又は全てを用いて動作し得る。図面において表された様々な要素は、同一であるか、又は異なる可能性がある。どの１つが第１の要素として参照され、そしてどれが第２の要素と呼ばれるかは、任意である。
【００３７】
上述の例における詳細は、１つ又は複数の態様のどこにおいても使用され得るということが理解されるべきである。例えば、上記で説明されたコンピューティング装置の全ての任意選択機能は、同様に、ここで説明された方法又はコンピュータ読み取り可能な媒体のいずれに関しても実装され得る。さらに、フローチャート及び／又は状態図が態様を説明するためにここで使用されたかもしれないが、本技術は、それらの図又は本明細書における対応する説明に限定されない。例えば、フローは、各例示されたボックス又は状態を通して、あるいはここで例示されそして説明された順序と厳密に同じ順序で動作する必要はない。
【００３８】
本技術は、ここで記載された特定の詳細に限定されない。実際、この開示の利益を有する当業者は、前述の説明及び図からの多くの他の変形が本技術の範囲内で作成され得るということを認識することになる。したがって、それは本技術の範囲を定義するあらゆる変更を含む添付の特許請求の範囲になる。
【符号の説明】
【００３９】
１０２    装置
１０４    充電装置
１０６    送信コイル
２００    無線電力受信ユニット
２０２    第１の受信コイル
２０４    第２の受信コイル
２０６    並列接続
２０８    受信回路
２１０    同調回路
２１１    開口部
２１２    磁気伝導層
３００    無線電力受信ユニット
３０２    第１の受信コイル
３０４    第２の受信コイル
３０６    並列接続
３０８    受信回路
３１０    同調回路
３１６    角度
３１８    角度
４０２    送信コイル
５０２    コンピューティング装置
５０４    送信コイル
【図１】
2015198570.tif 000004
【図２Ａ】
2015198570.tif 000005
【図２Ｂ】
2015198570.tif 000006
【図３Ａ】
2015198570.tif 000007
【図３Ｂ】
2015198570.tif 000008
【図３Ｃ】
2015198570.tif 000009
【図４】
2015198570.tif 000010
【図５】
2015198570.tif 000011
【図６】
2015198570.tif 000012
【外国語明細書】
2015198570000001.pdf
2015198570000002.pdf
2015198570000003.pdf
2015198570000004.pdf